(57)【要約】【課題】  信号を処理する電子回路が組み付けられた回路基板を備え、回路基板にコネクタを介してケーブルを接続する際の電気的接続不良を報知するよう構成された電子装置を提供する。【解決手段】  回路基板４１に装着されたコネクタ４２の両端に回路基板４１の電源ライン４３を接続する。端部の信号線がコネクタの端子に接触するようにリード状に加工されたケーブル５０をコネクタ４２に嵌入したときに、コネクタ４２の両端に接続されるケーブル両端の電源線５１ａ、５１ｂ間にＬＥＤ６０を設ける。すると、ケーブル５０をコネクタ４２に嵌入したときに、ケーブル５０とコネクタ４２とが正常に接続されていれば回路基板４１から電源供給を受けＬＥＤ６０が発光し、正常に接続されていない場合には、ＬＥＤ６０が発光しない。このようにＬＥＤ６０の発光の有無によって、ケーブル５０側でコネクタ４２とケーブル５０との接続状態の良否を検知できる。【選択図】  図２
2006035597.tif 000002
【特許請求の範囲】
【請求項１】
信号を処理する電子回路が組み付けられた回路基板を備え、前記回路基板にコネクタを介して接続されたケーブルにより、前記回路基板に信号を入出力するよう構成された電子装置であって、
前記コネクタは、
列状に配列された複数の入出力端子と、
前記入出力端子のうち配列方向両端に配置され、前記回路基板に形成された正負一対の電源ラインに接続される電源端子と、
を備え、
前記ケーブルは、
前記コネクタの前記電源端子以外の入出力端子に接続されて前記回路基板に信号を入出力するための信号線と、
前記コネクタの電源端子に接続される正負一対の電源線と、
を備え、
更に、前記ケーブルの前記電源線間に設けられ、前記コネクタを介して前記回路基板から当前記電源線に電源供給がなされたときに動作して、その旨を報知する報知手段を備えたことを特徴とする電子装置。
【請求項２】
信号を処理する電子回路が組み付けられた回路基板を備え、前記回路基板にコネクタを介して接続されたケーブルにより、前記回路基板に信号を入出力するよう構成された電子装置であって、
前記コネクタは、
列状に配列された複数の入出力端子と、
前記入出力端子のうち配列方向一端に配置され、前記回路基板に形成された電源ラインに接続される電源端子と、
を備え、
前記ケーブルは、
前記コネクタの前記電源端子以外の入出力端子に接続されて前記回路基板に信号を入出力するための信号線と、
前記コネクタの電源端子に接続される第１電源線と、
当前記ケーブルの前記コネクタとは反対側端部で、前記電子回路を含む当前記電子装置の接地ラインに接続される第２電源線と、
を備え、
更に、前記各電源線間に設けられ、前記コネクタを介して前記回路基板から第１電源線に電源供給がなされたときに動作して、その旨を報知する報知手段を備えたことを特徴とする電子装置。
【請求項３】
信号を処理する電子回路が組み付けられた回路基板を備え、前記回路基板にコネクタを介して接続されたケーブルにより、前記回路基板に信号を入出力するよう構成された電子装置であって、
前記コネクタは、
列状に配列された複数の入出力端子と、
前記入出力端子のうち配列方向一端に配置され、前記回路基板に形成された電源ラインに接続される電源端子と、
を備え、
前記ケーブルは、
前記コネクタの前記電源端子以外の入出力端子に接続されて前記回路基板に信号を入出力するための信号線と、
前記コネクタの電源端子に接続される電源線と、
を備え、
更に、前記電源線と前記電子回路を含む当前記電子装置の接地ラインとの間に設けられ、前記コネクタを介して前記回路基板から前記電源線に電源供給がなされたときに動作して、その旨を報知する報知手段を備えたことを特徴とする電子装置。
【請求項４】
前記報知手段は、発光ダイオードを備えていることを特徴とする請求項１〜請求項３の何れかに記載の電子装置。
【請求項５】
前記ケーブルはフレキシブル・フラット・ケーブルであることを特徴とする請求項１〜請求項４の何れかに記載の電子装置。
【請求項６】
前記コネクタは、前記回路基板に装着されており、
前記ケーブルは、前記コネクタを介して前記回路基板に接続される側の端部の配線が前記コネクタの端子と接触可能にリード状に加工され、該加工された端部が前記コネクタに嵌入されることを特徴とする請求項１〜請求項５の何れかに記載の電子装置。
【請求項７】
前記コネクタは、前記回路基板と前記ケーブルとに夫々装着され、互いに嵌合するアダプタとソケットとで構成されていることを特徴とする請求項１〜請求項５の何れかに記載の電子装置。
【請求項８】
当該電子装置は、画像データに基づいて、記録紙に画像を形成する画像形成装置であることを特徴とする請求項１〜請求項７の何れかに記載の電子装置。
【発明の詳細な説明】
【技術分野】
【０００１】
本発明は、信号を処理する電子回路が組み付けられた回路基板を備え、回路基板にコネクタを介して接続されたケーブルにより信号を入出力するよう構成された電子装置に関する。
【背景技術】
【０００２】
従来、電子装置内部の配線をするためのケーブルを、コネクタを介して回路基板に接続する際、一見するとケーブルがコネクタを介して回路基板に正しく接続されている状態であっても、ケーブルが斜めに挿入されていたり、挿入深さが不十分であったりして、ケーブルの回路基板への電気的な接続が正常になされていない場合があった。
【０００３】
そのような場合、電子装置は正常に作動しないが、ケーブルと回路基板とはコネクタを介して正しく接続しているように見えるため、電子装置が正常作動しない原因がケーブルと回路基板との電気的接続不良であることを外見で特定するのは困難であった。
【０００４】
そこで、ケーブルに装着されているコネクタ両端の端子を短絡しておき、更に、回路基板には接続検知回路を設けて、コネクタを介してのケーブルの回路基板への電気的な接続の良否を検知する技術が提案されている。（例えば特許文献１参照）
この技術によれば、ケーブルがコネクタを介して回路基板に正常に接続されていれば回路基板の接続検知回路の入力端が短絡され、正常に接続されていなければ入力端が短絡されないので、その短絡の有無を検知することによりケーブルが正常に接続されているか否かがわかる。
【特許文献１】特開２００２−１７８４９０号公報
【発明の開示】
【発明が解決しようとする課題】
【０００５】
ところが、上記検知方法によれば、ケーブルの接続が正常になされているか否かを検知するために、回路基板にケーブル側のコネクタ両端が短絡されていることを検出するための接続検知回路を設ける必要があった。
【０００６】
さらに、回路基板だけでなく、種々の機器が装置内部に複雑に配置されている電子装置では、電子装置内部の配線作業を行う際の作業性が悪く、一旦回路基板に接続されたケーブルが作業途中に引っ張られるなどして外れ易い。このような状況にあっては、上記検知方法では、回路基板に接続されるケーブル側で接続状態の良否を検知することができないため、この種の電子装置において、ケーブルの接続が正常であるか否かを確認することが困難であった。
【０００７】
本発明は、こうした問題に鑑み成されたものであり、信号を処理する電子回路が組み付けられた回路基板を備え、その回路基板にコネクタを介してケーブルが接続される電子装置において、回路基板とケーブルとの接続状態をケーブル側で簡単に検知できるようにすることを目的とする。
【課題を解決するための手段】
【０００８】
かかる目的を達成するために成された請求項１に記載の電子装置は、信号を処理する電子回路が組み付けられた回路基板を備え、回路基板にコネクタを介して接続されたケーブルにより、回路基板に信号を入出力するよう構成された電子装置であって、コネクタは、列状に配列された複数の入出力端子と、入出力端子のうち配列方向両端に配置され、回路基板に形成された正負一対の電源ラインに接続される電源端子と、を備え、ケーブルは、コネクタの電源端子以外の入出力端子に接続されて回路基板に信号を入出力するための信号線と、コネクタの電源端子に接続される正負一対の電源線と、を備え、更に、ケーブルの電源線間に設けられ、コネクタを介して回路基板から電源線に電源供給がなされたときに動作して、その旨を報知する報知手段を備えたことを特徴としている。
【０００９】
このように構成された電子装置によれば、ケーブルがコネクタを介して正常に回路基板に接続されていれば、ケーブルの電源線がコネクタの電源端子を介して回路基板の電源ラインに接続されるため、報知手段は、電源線から電力の供給を受けて作動する。逆に、ケーブルがコネクタを介して正常に回路基板に接続されていなければ、ケーブルの電源線が回路基板の電源ラインに接続されないため、報知手段は、電源線から電力の供給をうけることができず、作動しない。したがって、報知手段が作動したか否かによってケーブルが回路基板に正常に接続されているか否かがわかる。
【００１０】
特に、正負一対の電源線がケーブルの両端に配設されているため、ケーブルが斜めに挿し込まれた場合には、一対の電源線のうちのどちらかが回路基板の電源ラインに接続されないことになる。その場合、報知手段は電源の供給を受けることができず、作動しない。したがって、ケーブルの斜め挿しを効果的に報知することができる。
【００１１】
ところで、コネクタの接続状態の良否を、ケーブル側で報知するには、必ずしも電子装置を請求項１に記載のように構成する必要はなく、請求項２に記載の電子装置のように、コネクタは、列状に配列された複数の入出力端子と、入出力端子のうち配列方向一端に配置され、回路基板に形成された電源ラインに接続される電源端子と、を備え、ケーブルは、コネクタの電源端子以外の入出力端子に接続されて回路基板に信号を入出力するための信号線と、コネクタの電源端子に接続される第１電源線と、ケーブルのコネクタとは反対側端部で、電子回路を含む電子装置の接地ラインに接続される第２電源線と、を備え、更に、各電源線間に設けられ、コネクタを介して回路基板から第１電源線に電源供給がなされたときに動作して、その旨を報知する報知手段を備えるようにしてもよい。
【００１２】
このようにすると、第１の電源線と第２の電源線を、各々ケーブルの両端まで配線する必要がなく、より少ない配線で、請求項１と同様に、ケーブルがコネクタを介して正常に接続されているか否かを報知することが可能となる。
【００１３】
さらに、請求項３に記載の電子装置のように、コネクタは、列状に配列された複数の入出力端子と、入出力端子のうち配列方向一端に配置され、回路基板に形成された電源ラインに接続される電源端子と、を備え、ケーブルは、コネクタの電源端子以外の入出力端子に接続されて回路基板に信号を入出力するための信号線と、コネクタの電源端子に接続される電源線と、を備え、更に、電源線と電子回路を含む電子装置の接地ラインとの間に設けられ、コネクタを介して回路基板から電源線に電源供給がなされたときに動作して、その旨を報知する報知手段を備えるようにしてもよい。
【００１４】
このようにすると、ケーブルに１本の電源線を配線するのみで請求項１又は請求項２に記載の電子装置と同様に、ケーブルがコネクタを介して正常に接続されているか否かを報知することが可能となる。
【００１５】
ところで、請求項１〜請求項３の何れかに記載のように構成された電子装置において、コネクタの接続状態の良否を報知する報知手段の構成は種々考えられ、音により報知してもよいし、光により報知してもよいし、その両方を組み合わせて報知してもよいが、特に、請求項４のように、報知手段を、発光ダイオードを用いて構成するとよい。
【００１６】
このように、報知手段として発光ダイオードを用いることにより、極めて簡単に報知手段を構成することができる。
そして、電子装置内部の配線を行うケーブルには、いろいろな種類のケーブルを用いることができるが、請求項５に記載のように、ケーブルをフレキシブル・フラット・ケーブルにするとよい。
【００１７】
すなわち、フレキシブル・フラット・ケーブルは、湾曲させ易いため、種々な電子装置の内部配線用に多く使われている。しかし、コネクタを介して回路基板と接続させる部分の近くで湾曲させた場合に、その湾曲部分に曲げ応力が掛かり、ケーブルが抜けたり、半挿し状態になったりして、ケーブルと回路基板との接続不良が起こり易い。したがって、本発明は、請求項５に記載のように、ケーブルとしてフレキシブル・フラット・ケーブルを使用した電子機器に適用すれば、前述の効果をより発揮できる。
【００１８】
また、コネクタは回路基板に装着してもよいし、ケーブルに装着してもよいし、回路基板とケーブルの両方に装着してもよい。そして、コネクタを回路基板に装着する場合には、請求項６に記載のように、ケーブルの、コネクタを介して回路基板に接続される側の端部の信号線を、コネクタの端子と接触可能となるようにリード状に加工し、その加工された端部がコネクタに嵌入されるようにするとよい。
【００１９】
すなわち、ケーブル端部の信号線をリード状に加工したケーブルを使用すると配線作業が容易になるため、当該ケーブルは、最近、各種電子装置において多用されている。ところが、当該ケーブルは、内部構造が複雑で作業性が悪いような箇所に使われることが多いため、ケーブルの配線作業時に装置内部の機器に引っ掛けたりして、ケーブルが抜けたり、半挿し状態になったりして、ケーブルと回路基板との接続不良が起こり易い。したがって、本発明は、請求項６に記載のように、ケーブルとして、ケーブル端の信号線をリード状に加工したケーブルを使用した電子機器に適用すれば、前述の効果をより発揮できる。
【００２０】
一方、ケーブルと回路基板とにコネクタを装着する場合には、請求項７に記載のように、互いに嵌合するアダプタとソケットとで構成されているコネクタのアダプタとソケットとを回路基板とケーブルに夫々装着するとよい。
【００２１】
このようにすると、回路基板とケーブルとを、従来から使用されているコネクタで接続した場合でも接続が正常に成されているか否かをケーブル側で報知することができる。
ところで、本発明の電子装置には色々のものが考えられるが、特に、請求項８に記載のように、電子装置として、外部からの画像データ又はスキャナで読み取った画像データに基づいて、記録紙に画像を形成する画像形成装置とするとよい。
【００２２】
このようにすると、画像形成をするための機械的な機構部品と、その機構部品を制御するための電子回路基板と、が複雑に配置された画像形成装置において、装置内部のコネクタが正常に接続されているか否かを容易に確認することが可能となる。
【発明を実施するための最良の形態】
【００２３】
（実施例１）
以下に、本発明の実施形態を図面に基づき説明する。
図１は本発明が適用されたレーザプリンタ１の構成を示す概略図である。
【００２４】
図１に示すように、電子装置としてのレーザプリンタ１は、筐体１０と、筐体１０に内蔵され、記録紙に画像形成を行う機構部２０と、外部から送信される画像データに基づいて機構部２０を制御する制御部４０と、から構成される。
【００２５】
機構部２０は、感光体ドラム２１などを有しており、レーザ光で感光体ドラム２１に静電潜像を形成し、その静電潜像に現像剤を塗布して現像剤像を形成し、その現像剤像を被記録媒体に転写して画像を形成するものである。
【００２６】
制御部４０は、機構部２０の作動を制御するものであり、以下に制御部４０の構成について詳細を説明する。
制御部４０は、回路基板４１、回路基板４１と接続されるケーブル５０、及び、回路基板４１とケーブル５０との接続状態を示す発光ダイオード（ＬＥＤと称する）６０等から構成されている。
【００２７】
回路基板４１は、ＣＰＵ、ＲＯＭ、ＲＡＭ、Ｉ／Ｏ、電源等から構成され、レーザプリンタ１の、外部のコンピュータ等からの画像データの入力、記録紙の搬送、記録紙への画像形成などの制御を行っている。
【００２８】
そして、回路基板４１の一端にコネクタ４２が装着されている。そのコネクタ４２は、回路基板４１の一端に実装された基板装着型のフレキシブル・フラット・ケーブル（以下、ＦＦＣと称する）用の角型コネクタであり、そのコネクタにケーブル５０の端部が嵌入されている。
【００２９】
また、回路基板４１は、筐体１０の側面に沿って垂直方向に立った状態で、フレーム１５にボルトで固定されている。
ケーブル５０は、信号線が平板状に形成されたＦＦＣであり、さらに、端面部分の信号線が、回路基板のコネクタ４２に嵌入され、コネクタ４２の端子に直接接触して導通するように端子状に加工されている（この、加工をリード加工と称し、また、端子状に加工された部分をリードと称する）。
【００３０】
また、ケーブル５０は、レーザプリンタ１内の機器の配置に応じて自由に曲げることが可能となっており、図１に示すように、端部が回路基板４１のコネクタ４２に嵌入され、回路基板４１の直近で９０度の角度で２回折り曲げられ、レーザプリンタ１内部の垂直上方向に配線された後、さらに９０°折り曲げられ、フレーム１５に沿って床面と平行に配線され、回路基板４１に接続されていない方の端部でＬＥＤ６０に接続されている。
【００３１】
ＬＥＤ６０は、ケーブル５０の両端の電源線５１ａ、５１ｂに接続された状態で、フレーム１５に取り付けられている。そして、筐体１０に貫設された穴１１からＬＥＤ６０が発光したことが視認できるようになっている。このＬＥＤ６０は、通常、レーザプリンタ１のステータスを報知するための機能を有し、例えば、給紙カバーが開状態の時に発光する。本実施例においては、ＬＥＤ６０は回路基板４１とケーブル５０との接続状態の報知のためにも用いられる。
【００３２】
次に、図２により、回路基板４１のコネクタ４２にケーブル５０が嵌入された際に、電気的な接続状態の良否がＬＥＤ６０によって報知されるしくみについて説明する。
図２は、回路基板４１、ケーブル５０及びＬＥＤ６０の電気的接続を示す概要図である。
【００３３】
図２に示すように、コネクタ４２に配列されている複数の端子ａ点〜ｃ点（ｃ点は、１又は複数の端子からなる）のうちの両端の端子（図２中のａ点及びｂ点）に回路基板４１の電源ライン４３ａ、４３ｂから供給される３．３Ｖの電源が接続されている。
【００３４】
ケーブル５０は、前述したように、端面にリード５３を有するＦＦＣであり、リード５３の部分がコネクタ４２に嵌入されることによって機械的にコネクタ４２に結合されるようになっている。そして、ケーブル５０がコネクタ４２に嵌入されることによって、ケーブル５０の各リード５３とコネクタ４２の各端子とは電気的に接続され、ケーブル５０の両端の信号線（コネクタ４２のａ点、ｂ点に接続されている信号線）は回路基板４１の３．３Ｖの電源ライン４３ａ、４３ｂに接続され、一対の電源線５１ａ、５１ｂとなる。
【００３５】
ＬＥＤ６０は、ケーブル５０のコネクタ４２と接続されていない方の端部で電源線５１ａ、５１ｂ間に接続され、電源線５１ａにアノードが、また、電源線５１ｂにカソードが、各々接続されている。
【００３６】
ケーブル５０とコネクタ４２とＬＥＤ６０とがこのように構成されているので、ケーブル５０がコネクタ４２に正常に挿し込まれていれば、回路基板４１から供給される３．３Ｖの電源がコネクタ４２のａ点、ｂ点及びケーブル５０の電源線５１ａ、５１ｂを介してＬＥＤ６０に供給されてＬＥＤ６０が点灯する。従って、ＬＥＤ６０が点灯すれば、ケーブル５０はコネクタ４２に正常に差し込まれていることが分かる。
【００３７】
逆に、ケーブル５０がコネクタ４２に正常に接続されていない場合には、回路基板４１から電源がＬＥＤ６０に供給されないためＬＥＤ６０が点灯しない。従って、ＬＥＤ６０が点灯しなければ、ケーブル５０はコネクタ４２に正常に差し込まれていないことが分かる。
【００３８】
特に、信号線の数が多くケーブル５０の幅が広い場合等では、ケーブル５０のリード５３の部分がコネクタ４２に斜めに差し込まれた際に、ケーブル５０の一端に配置されている電源線５１ａは電気的にコネクタ４２の端子に接触しているが、反対端の電源線５１ｂはコネクタ４２の端子に接触していないという状態（所謂、半挿し状態）が発生することが多い。ケーブル５０の一端に配置されている電源線５１ｂが電気的にコネクタ４２の端子に接触しており、反対端の電源線５１ａがコネクタ４２の端子に接触しているときも同様である。
【００３９】
このような半挿し状態が発生した場合、回路基板４１から電源がＬＥＤ６０に供給されないためＬＥＤ６０が点灯しない。従って、ＬＥＤ６０が点灯しなければ、ケーブル５０がコネクタ４２に半挿し状態で差し込まれていることが簡単に分かる。
【００４０】
このように、本実施例のレーザプリンタ１によれば、ケーブル５０側に電源を設けることなく、回路基板４１から電源供給を受けてケーブル５０の半挿し状態を、ケーブル側に装着したＬＥＤの点滅によって報知することができる。従って、回路基板４１を装着した電子装置側で特に操作をすることなく、ケーブル５０をコネクタ４２に差し込むだけでケーブル５０が半挿し状態であるか否かを知ることが可能となる。
【００４１】
また、給紙部、作像部、定着部といった記録紙に画像を形成するための機構部２０の各部が複雑に内蔵されているレーザプリンタ１内部のケーブル配線を行う場合、一旦回路基板４１に接続したコネクタ４２が、配線作業中に引っ張られて、外れたり、半挿し状態になったりした場合でも、実施例１のレーザプリンタ１によれば、そのようなコネクタ４２の外れや半挿し状態を容易に判別することが可能である。
【００４２】
さらに、ＬＥＤ６０は、本来は、レーザプリンタ１のステータスを知らせるために設けられているものであり、このＬＥＤ６０を半挿し検知に兼用することで、コストを低減することができる。
（実施例２）
次に、回路基板４１のコネクタ４２の電源端子と、レーザプリンタ１の内部で回路基板４１を含むレーザプリンタ１の接地ラインとの間に設けられたＬＥＤ６０によって、コネクタ４２とケーブル５０との接続不良を報知するレーザプリンタ１について説明する。
【００４３】
レーザプリンタ１内部の、フレーム１５への回路基板４１、ＬＥＤ６０の取付け、回路基板４１へのコネクタ４２の装着、ケーブル５０のリード加工、及びケーブル５０の配線等は実施例１と同様であるため説明を省略する。
【００４４】
図３に示すように、回路基板４１のコネクタ４２には、回路基板４１の電源ライン４３ａが、コネクタ４２の図中上端の端子（図３中のａ点）に接続されている。本実施形態においてもｃ点は、１又は複数の端子からなっている。
【００４５】
ケーブル５０は、実施例１と同様に、端面にリード５３を有するＦＦＣであり、リード５３の部分がコネクタ４２に嵌入されることによって機械的にコネクタ４２に結合されるようになっている。そして、ケーブル５０がコネクタ４２に嵌入されることによって、ケーブル５０の各リード５３とコネクタ４２の各端子とは電気的に接続され、ケーブル５０の図中上端の信号線（コネクタ４２のａ点に接続されている信号線）は、回路基板４１の３．３Ｖの電源ライン４３ａと接続されて第１の電源線５２ａとなる。
【００４６】
そして、ケーブル５０のコネクタ４２と接続されない方の端部で、ケーブル５０の信号線のうち１本が、レーザプリンタ１内部で回路基板４１を含むレーザプリンタ１の接地ライン（図３中ｂ点）に接続された第２の電源線５２ｂとなっている。
【００４７】
そして、ＬＥＤ６０は、ケーブル５０の第１の電源線５２ａと第２の電源線５２ｂ間に接続され、電源線５２ａにアノードが、また、電源線５２ｂにカソードが、各々接続されている。
【００４８】
ケーブル５０とコネクタ４２とＬＥＤ６０とがこのように構成されているので、ケーブル５０がコネクタ４２に正常に挿し込まれていれば、回路基板４１から供給される３．３Ｖの電圧がコネクタ４２のａ点及びケーブル５０の第１の電源線５２ａと、レーザプリンタ１内部の共通の接地に接続された第２の電源線５２ｂとを介して、ＬＥＤ６０に印加されてＬＥＤ６０が点灯する。従って、ＬＥＤ６０が点灯すれば、ケーブル５０はコネクタ４２に正常に差し込まれていることが分かる。
【００４９】
このようにすると、第１の電源線５２ａと、第２の電源線５２ｂとを各々ケーブル５０両端まで配線しなくても済むため、より少ない信号線で、コネクタの接続不良を報知することが可能となる。
（実施例３）
次に、ケーブル５０に１本の電源線のみを配線することにより、コネクタ４２とケーブル５０との接続不良を報知するレーザプリンタ１について説明する。
【００５０】
レーザプリンタ１内部の、フレーム１５への回路基板４１、ＬＥＤ６０の取付け、回路基板４１へのコネクタ４２の装着、ケーブル５０のリード加工、及びケーブル５０の配線等は実施例１と同様であるため説明を省略する。
【００５１】
図４に示すように、回路基板４１のコネクタ４２には、回路基板４１の電源ライン４３ａが、コネクタ４２の図中上端の端子（図３中のａ点）に接続されている。本実施形態においてもｃ点は１又は、複数の端子からなっている。
【００５２】
ケーブル５０は、実施例１と同様に、端面にリード５３を有するＦＦＣであり、リード５３の部分がコネクタ４２に嵌入されることによって機械的にコネクタ４２に結合されるようになっている。そして、ケーブル５０がコネクタ４２に嵌入されることによって、ケーブル５０の各リード５３とコネクタ４２の各端子とは電気的に接続され、ケーブル５０の図中上端の信号線（コネクタ４２のａ点に接続されている信号線）は、回路基板４１の３．３Ｖの電源ライン４３ａと接続されて電源線５４ａとなる。
【００５３】
そして、ケーブル５０のコネクタ４２と接続されない方の端部で、電源線５４ａにＬＥＤ６０のアノードが、また、レーザプリンタ１内部の共通の接地にＬＥＤ６０のカソードが接続されている。
【００５４】
ケーブル５０とコネクタ４２とＬＥＤ６０とがこのように構成されているので、ケーブル５０がコネクタ４２に正常に挿し込まれていれば、回路基板４１から供給される３．３Ｖの電圧がコネクタ４２のａ点及びケーブル５０の電源線５４ａと、レーザプリンタ１内部の共通の接地とを介して、ＬＥＤ６０に印加されてＬＥＤ６０が点灯する。従って、ＬＥＤ６０が点灯すれば、ケーブル５０はコネクタ４２に正常に差し込まれていることが分かる。
【００５５】
このようにすると、ケーブル５０に１本の電源線５４ａのみを配線するだけでコネクタの接続不良を報知することが可能となる。
以上に説明した実施例１〜実施例３のレーザプリンタ１では、ケーブル５０のコネクタ４２に接続される側の端部がリード加工されているとして説明したが、図５に示すように互いに嵌合するソケット４４ａとアダプタ４４ｂとで回路基板４１とケーブル５０とを接続しても良い。
【００５６】
つまり、回路基板４１にソケット４４ａを装着し、ケーブル５０にはソケット４４ａに嵌合するアダプタ４４ｂを装着し、ソケット４４ａ両端部（図中ａ点及びｂ点）に回路基板４１の電源ライン４３ａ、４３ｂを接続するのである。
【００５７】
これにより、ケーブル５０のアダプタ４４ｂをソケット４４ａに嵌合させたとき、ケーブル５０の両端の信号線が電源線５１ａ、５１ｂとなり、実施例１と同様な効果が得られる。
【００５８】
以上、本発明の実施例について説明したが、本発明の実施の形態は、上記実施例に何ら限定されることなく、本発明の技術的範囲に属する限り種々の形態をとり得ることはいうまでもない。
【００５９】
例えば、ＬＥＤ６０を発光させて、コネクタの接続状態の良否を検知する代わりに、超小型の発信器や超小型振動素子により音を発生させることで、接続状態の良否を検知するようにしてもよい。
【００６０】
また、回路基板４１にコネクタ４２を装着する代わりに、回路基板４１の端部が凸形状となるように加工し、その部分にケーブル５０の電気的接続を行う端子を設け、ケーブル５０側にコネクタをもうけて、回路基板４１とケーブル５０とを接続するようにしてもよい。
【００６１】
さらに、ケーブルの接続相手方は、回路基板のみならず、電源ラインを有していればよく、例えば、インクジェット式や感熱式のレーザプリンタのヘッドであってもよいし、他の電子機器であってもよい。
【００６２】
さらに、電子装置は、装置内部で回路基板とケーブルとを接続するものであれば、レーザプリンタに限られないことはいうまでもない。
【図面の簡単な説明】
【００６３】
【図１】本発明が適用されたレーザプリンタ１の構成を示す概要図である。
【図２】本発明が適用された実施例１における回路基板４１、ケーブル５０及びＬＥＤ６０の電気的接続を示す概要図である。
【図３】本発明が適用された実施例２における回路基板４１、ケーブル５０及びＬＥＤ６０の電気的接続を示す概要図である。
【図４】本発明が適用された実施例３における回路基板４１、ケーブル５０及びＬＥＤ６０の電気的接続を示す概要図である。
【図５】ソケット４４ａとアダプタ４４ｂとを用いて回路基板４１とケーブル５０とを接続する場合の概略図である。
【符号の説明】
【００６４】
１…レーザプリンタ、１０…筐体、１１…穴、１５…フレーム、２０…機構部、２１…感光体ドラム、４０…制御部、４１…回路基板、４２…コネクタ、４３ａ、４３ｂ…電源ライン、４４ａ…ソケット、４４ｂ…アダプタ、５０…ケーブル、５１ａ、５１ｂ、５４ａ…電源線、５２ａ…第１の電源線、５２ｂ…第２の電源線、５３…リード、６０…発光ダイオード（ＬＥＤ）
【図１】
2006035597.tif 000003
【図２】
2006035597.tif 000004
【図３】
2006035597.tif 000005
【図４】
2006035597.tif 000006
【図５】
2006035597.tif 000007